(57)【要約】 【課題】      画像読取部及び画像形成部の種々の動作に対応した効率のよい冷却を行うこと。【解決手段】  画像を入力する画像読取部と、入力した画像または外部装置から受信した画像データに基づいて出力するための画像を形成する画像形成部と、画像読取部または画像形成部からの発熱を冷却する冷却部と、を有する画像入出力装置は、画像読取部または画像形成部に対する動作を設定するための情報を受信して、画像読取部または画像形成部に対する動作設定の内容を判定する判定部と、判定部により判定された動作設定の内容に基づき、冷却部の出力を制御する制御部とを備える。【選択図】    図１
2006103160.tif 000002
【特許請求の範囲】
【請求項１】
画像を入力する画像読取手段と、当該入力した画像または外部装置から受信した画像データに基づいて出力するための画像を形成する画像形成手段と、当該画像読取手段または当該画像形成手段からの発熱を冷却する冷却手段と、を有する画像入出力装置であって、
前記画像読取手段または画像形成手段に対する動作を設定するための情報を受信して、当該画像読取手段または画像形成手段に対する動作設定の内容を判定する判定手段と、
前記判定手段により判定された前記動作設定の内容に基づき、前記冷却手段の出力を制御する制御手段と、
を備えることを特徴とする画像入出力装置。
【請求項２】
前記制御手段は、前記画像読取手段及び前記画像形成手段の動作設定の内容に応じて、前記冷却手段を異なる出力を設定して制御することを特徴とする請求項１に記載の画像入出力装置。
【請求項３】
前記判定手段は、前記動作を設定するための情報に、当該動作内容を具体的に指定する詳細情報が付加されているか否かを更に判定し、
前記制御手段は、前記詳細情報に応じて前記冷却手段の出力を制御することを特徴とする請求項１または２に記載の画像入出力装置。
【請求項４】
画像を入力する画像読取手段と、当該入力した画像または外部装置から受信した画像データに基づいて出力するための画像を形成する画像形成手段と、当該画像読取手段または当該画像形成手段からの発熱を冷却する冷却手段と、を有する画像入出力装置の制御方法であって、
前記画像読取手段または画像形成手段に対する動作を設定するための情報を受信して、当該画像読取手段または画像形成手段に対する動作設定の内容を判定する判定工程と、
前記判定工程により判定された前記動作設定の内容に基づき、前記冷却手段の出力を制御する制御工程と、
を備えることを特徴とする画像入出力装置の制御方法。
【請求項５】
請求項４に記載の画像入出力装置の制御方法をコンピュータに実行させることを特徴とするプログラム。
【請求項６】
請求項５に記載のプログラムを格納したことを特徴とするコンピュータ可読の記憶媒体。
【発明の詳細な説明】
【技術分野】
【０００１】
本発明は、画像を入力する画像読取部と、入力した画像または外部装置から受信した画像データに対して、所定の画像形成処理をして出力する画像形成部とを有する画像入出力装置及びその制御方法、プログラム、記憶媒体に関し、特に、画像読取部及び画像形成部に関する種々の動作モードに適応して、画像読取部及び画像形成部を効果的に冷却する画像入出力装置及びその制御方法、プログラム、記憶媒体に関するものである。
【背景技術】
【０００２】
近年、広く普及している、画像の読み取りに関する機能と、画像の印刷に関する機能との複合機能を有する画像入出力装置（以下、「画像入出力装置」と記す）は、画像を読み取るイメージスキャナユニットと、入力した画像の印刷を行うプリンタユニットと、これら各部の動作制御に関する管理及び外部装置との通信、例えば、ファクシミリ装置との接続、PC（パーソナルコンピュータ）との接続、あるいはLAN等の通信回線を介してホスト装置と接続し画像データの送受信を管理するコントローラユニットを、有している。
【０００３】
画像入出力装置における、これら３つのユニット（イメージスキャナ、プリンタ、コントローラ）の構成としては、コントローラユニット（以下、単に「コントローラ」ともいう）はプリンタユニット（以下、単に「プリンタ」ともいう）に内蔵されており、またイメージスキャナユニット（以下、単に「イメージスキャナ」ともいう）は、プリンタユニットに装着されるタイプのものや、オプション設定として別置きでプリンタユニットに装着できる構成のものがある。
【０００４】
上記のような構成の画像入出力装置において、コントローラはPC等のホスト装置との通信を行う役割を担い、ホスト装置からの指示に基づいてイメージスキャナもしくはプリンタの制御を行う。また、イメージスキャナの画像読取動作、及びプリンタの印刷動作を行うためのシーケンス制御は各部に内蔵されたシーケンスコントロール用の電子制御回路によってなされている。
【０００５】
更に、上記の構成からなる画像入出力装置においては、プリンタ、イメージスキャナの駆動部やプリンタの熱定着器からの発熱、コントローラ、電源ユニット等から生じる発熱を冷却するために幾つかの冷却ユニットが画像入出力装置に設けられている。
【０００６】
冷却ユニットとしては、熱源からの発熱を空冷する冷却ファンが一般的に用いられ、主としてプリンタユニットの動作に同期して、冷却ファンの回転が制御される構成になっている。特許文献１には、冷却ユニットが画像読取部及び画像形成部に設けられ、各部の動作に応じて独立に制御される冷却ユニットが開示されている。
【特許文献１】特開平10-235971号公報
【発明の開示】
【発明が解決しようとする課題】
【０００７】
しかしながら、電源ユニット及び冷却ユニットが画像形成部にのみ設けられており、画像形成部内の電源から画像読取部へ電力を供給して、画像読取部のみを動作させる場合、例えば、読み取った画像をファクシミリ装置に送信したり、PDF画像としてホスト装置に送信する等、画像形成部を動作させないで画像読取部のみを動作させる場合等、電力を供給している電源ユニットの発熱に対し、冷却ユニットの出力（冷却ファンの場合はファンの回転数）が不足していたり、画像読取部の種々の動作に対応しておらず、過度の冷却用の出力を冷却ユニットが発生させることにより消費電力を増加させてしまうという問題があった。
【０００８】
本発明は、上記のような問題点に鑑みてなされたもので、画像読取部及び画像形成部の種々の動作に対応した効率のよい冷却を行うことができる画像入出力装置及びその制御方法、プログラム、記憶媒体を提供することを目的とするものである。
【課題を解決するための手段】
【０００９】
上記の問題点に鑑み、本発明に係る画像入出力装置は、主として、以下の構成を備えることを特徴とする。
【００１０】
すなわち、画像を入力する画像読取手段と、当該入力した画像または外部装置から受信した画像データに基づいて出力するための画像を形成する画像形成手段と、当該画像読取手段または当該画像形成手段からの発熱を冷却する冷却手段と、を有する画像入出力装置であって、
前記画像読取手段または画像形成手段に対する動作を設定するための情報を受信して、当該画像読取手段または画像形成手段に対する動作設定の内容を判定する判定手段と、
前記判定手段により判定された前記動作設定の内容に基づき、前記冷却手段の出力を制御する制御手段とを備えることを特徴とする。
【発明の効果】
【００１１】
本発明によれば、冷却手段を制御して、画像読取手段及び画像形成手段の種々の動作に対応した効率のよい冷却を行うことが可能になる。
【発明を実施するための最良の形態】
【００１２】
以下、図面を参照して、本発明の実施形態を説明する。
【００１３】
＜第１実施形態＞
図１は、本発明の実施形態に係る画像入出力装置１００の概略的な構成を示すブロック図である。同図において、参照番号１は、ホスト装置２００との間での通信、若しくは操作パネル４からの操作入力情報に応じて、画像読取部２若しくは画像形成部３に動作指示を与えるコントローラ（制御部）である。コントローラ１は、ホスト装置２００、あるいは画像読取部２から入力される画像データを、画像読取部インタフェース（Ｉ/Ｆ）２１を介して受信して処理し、処理した画像データをホスト装置２００あるいは画像形成部３に送信する機能を有している。
【００１４】
画像読取部２はCCD等のイメージセンサを有し、コントローラ１もしくは操作パネル４からの指示によって所望の画像データの読み取りを行う。この画像読取部２は、自動原稿送り装置（ＡＤＦ）を利用して画像を読み取ることができる。
【００１５】
画像形成部３は、帯電、露光、現像、転写、定着プロセス等により画像を形成する電子写真ユニットまたはインクジェットユニット等を有し、画像形成インタフェース（I/F）３１を介して接続するコントローラ１からの指示によって、所望の画像形成処理を行う。画像形成部３は、イエロー（Y)、マゼンタ（M)、シアン（C)、ブラック（Bk)の混色によるフルカラー画像の形成、または白黒の画像形成、その他両面印刷等を行うことができるものとする。
【００１６】
画像形成部３内には、画像形成部I/F３１を介してコントローラ１と接続するシーケンスコントロール回路６と、冷却ユニット５とが設けられている。冷却ユニット５は、例えば、冷却ファンの回転により、発熱源に空気を送り込み、発熱源からの放熱を冷却するものであり、画像形成部３の他に画像読取部２の発熱源の冷却も行うことができるものとする。この場合、画像読取部２に対しては、エアダクト等の冷却媒体の供給部材を通じて、画像読取部２の発熱源に空気を送り込み発熱源を冷却することができる。
【００１７】
以下に説明する各実施形態では、画像形成部３内部に配置した１個の冷却ユニット５の構成例を説明しているが、冷却ユニットを画像形成部３の外部に１つまたは複数個を配置して、コントローラ１または、シーケンスコントロール回路６からの制御信号を受信して、画像読取部２または画像形成部３をそれぞれの動作に応じて冷却するようにしてもよい。
【００１８】
ここで、画像入出力装置１００における画像読取部２及び画像形成部３の動作内容として、以下の４種類の動作内容（モード）がある。
【００１９】
（１）スキャニングモード
スキャニングモードとは、画像読取部２が読み取った画像をコントローラ１へ送り、コントローラ１は、画像読取部２から送られた画像に対してデータ処理を行った後に、ホスト装置２００へデータを転送する動作をいう。
【００２０】
（２）プリントモード
プリントモードとは、ホスト装置２００から送られてきた画像データをコントローラ１で受信して処理し、そのデータを画像形成部３へ送出し、画像形成部３で印刷処理のための画像形成を行う動作をいう。
【００２１】
（３）コピーモード
コピーモードとは、画像読取部２で読み取られた画像データをコントローラ１を介して画像形成部３に送出し、画像の印刷を行う動作をいう。
【００２２】
（４）スタンバイモード
スタンバイモードとは、画像読取部２及び画像形成部３が動作していない状態をいい、コントローラ１からの指示待ち状態となる。
【００２３】
画像入出力装置１００における上述の４つの動作モードでは、各動作部における各々の消費電力すなわち、発熱量が異なるので、各動作モードに応じて冷却ユニット５の制御が行われる。
【００２４】
図２は、冷却ユニットの制御の流れを説明するためのフローチャートである。
【００２５】
まず、ステップＳ１０において、ホスト装置２００もしくは操作パネル４からの指示によって、コントローラ１は、画像形成部インタフェース（Ｉ/Ｆ）３１を通じて画像形成部３へコマンドを送出し、画像形成部３は、そのコマンドの受信に従い、コマンド受信処理を行う。コマンド受信処理として、画像形成部３におけるシーケンスコントロール回路６は、コマンドがコントローラ１から送信されたことの認識及び受信したコマンドデータの格納処理を行う。
【００２６】
そして、シーケンスコントロール回路６におけるコマンド受信処理が完了すると、次に、ステップＳ１１において、シーケンスコントロール回路６は、そのコマンドが動作モードを設定するコマンド（動作モード設定コマンド）か否かの判定を行う。
【００２７】
ここで、動作モード設定コマンドは、例えば、図５に示すように、スキャニングモード、プリントモード、コピーモード、スタンバイモードのいずれかの動作内容を設定するための情報であり、このコマンドには、動作内容を具体的に指定する詳細情報を含むことができる。例えば、スキャニングモードにおいては、更に、自動原稿送り装置（ＡＤＦ）を使用するように指定することも可能である。
【００２８】
動作モード設定コマンド及び詳細情報の内容は、ホスト装置２００が生成して、コントローラ１に入力される。あるいは、動作モード設定コマンド及び詳細情報の内容は、操作パネル４からの操作入力に基づいて生成され、操作パネルインタフェース（Ｉ/Ｆ）２０を介してコントローラ１に入力されるようにすることも可能である。
【００２９】
ステップＳ１１の判定で、受信したコマンドが、動作モード設定コマンドでなければ（Ｓ１１-ＮＯ）、次のコマンド判定のルーチンへ移行するため処理は終了となる。
【００３０】
一方、シーケンスコントロール回路６の判定結果が、動作モード設定コマンドであれば（Ｓ１１-ＹＥＳ）、処理をステップＳ１２に進め、動作モードの内容を判定する判定ルーチンに移行する。
【００３１】
ステップＳ１２では、動作モード設定コマンドが、スタンバイモードであるか否かの判定を行い、スタンバイモードの場合（Ｓ１２-ＹＥＳ）、処理をステップＳ１７に進め、シーケンスコントロール回路６は、冷却ユニット（冷却ファン）５の動作をＯＦＦにする。
【００３２】
一方、ステップＳ１２の判定で、スタンバイモードでなければ（Ｓ１２-ＮＯ）、処理をステップＳ１３に進めて、動作モード設定コマンドがスキャニングモードの設定か否かの判定を行う（Ｓ１３）。
【００３３】
ステップＳ１３の判定で、動作モード設定コマンドがスキャニングモードの設定である場合は（Ｓ１３-ＹＥＳ）、処理をステップＳ１４に進め、シーケンスコントロール回路６は、冷却ユニット（冷却ファン）５の動作をＯＮにする。
【００３４】
一方、ステップＳ１３の判定で、動作モード設定コマンドがスキャニングモードの設定でなければ（Ｓ１３-ＮＯ）、処理をステップＳ１５に進め、プリントモード若しくはコピーモードかの判定を行う。
【００３５】
ステップＳ１５の判定で、動作モード設定コマンドが、プリントモードもしくはコピーモードの設定であれば（Ｓ１５-ＹＥＳ）、処理をステップＳ１６に進め、シーケンスコントロール回路６は、冷却ユニット（冷却ファン）５の動作をＯＮにする。
【００３６】
一方、ステップＳ１５における判定で、動作モード設定コマンドが、プリントモード若しくは、コピーモードの設定でない場合（Ｓ１５-ＮＯ）、シーケンスコントロール回路６は、動作モード設定に関する処理を終了させる。
【００３７】
以上説明したように本実施形態によれば、シーケンスコントロール回路６が動作モード設定コマンドに基づき判定した動作内容に応じて、冷却ユニット５のＯＮ/ＯＦＦ動作を制御して、画像読取部２及び画像形成部３の種々の動作に対応した効率のよい冷却を行うことが可能になる。
【００３８】
＜第２実施形態＞
第１実施形態では、動作モード設定コマンドにより、スタンバイモードの場合は、冷却ユニット（冷却ファン）５をＯＦＦとして、それ以外の、スキャニングモード、プリント/コピーモードの場合は、冷却ユニット（冷却ファン）５をＯＮとする冷却ユニットの制御の内容を説明したが、本実施形態では、スキャニングモード、プリントモード、コピーモードの各場合において、冷却ユニット（冷却ファン）５の動作レベルに重み付けをする（異なる出力を設定して制御する）冷却ユニットの制御の内容を説明する。
【００３９】
図３は、第２実施形態における冷却ユニットの制御の流れを説明するためのフローチャートである。第１実施形態における図２のフローチャートと同一のステップ番号は、同一の処理を行う処理ステップであり、説明の重複を避けるため説明を省略する。
【００４０】
ステップＳ１３において、シーケンスコントロール回路６が、動作モード設定コマンドに基づいてスキャニングモードの設定であると判定した場合（Ｓ１３-ＹＥＳ）、処理をステップＳ２４に進め、シーケンスコントロール回路６は、冷却ユニット（冷却ファン）５の出力を５０％に設定（冷却ファンの回転数を定格回転数の１/２（＝５０％）に設定）して、冷却ユニット（冷却ファン）５を動作させる。
【００４１】
一方、ステップＳ１３の判定で、動作モード設定コマンドがスキャニングモードの設定でなければ（Ｓ１３-ＮＯ）、処理をステップＳ２５に進め、シーケンスコントロール回路６は、動作モード設定コマンドがプリントモードの設定か否かの判定を行う。
【００４２】
ステップＳ２５の判定において、動作モード設定コマンドがプリントモードの設定であれば（Ｓ２５-ＹＥＳ）、処理をステップＳ２６に進め、シーケンスコントロール回路６は、冷却ユニット（冷却ファン）５の出力を５０％に設定（冷却ファンの回転数を定格回転数の１/２（＝５０％）に設定）して、冷却ユニット（冷却ファン）５を動作させる。
【００４３】
このステップでは、冷却ユニット（冷却ファン）５の出力を、スキャニングモードの設定時と同じように５０％に設定（冷却ファンの回転数を定格の１/２（＝５０％）に設定）しているが、異なる割合で出力するように回転数を設定することも可能である。
【００４４】
ステップＳ２５の判定で、動作モード設定コマンドがプリントモードの設定でない場合（Ｓ２５-ＮＯ）、処理をステップＳ２７に進め、シーケンスコントロール回路６は、動作モード設定コマンドがコピーモードの設定か否かの判定を行う。
【００４５】
ステップＳ２７の判定において、動作モード設定コマンドがプリントモードの設定であれば（Ｓ２７-ＹＥＳ）、処理をステップＳ２８に進め、シーケンスコントロール回路６は、冷却ユニット（冷却ファン）５の出力を１００％に設定（冷却ファンの回転数を定格回転数の１００％（＝ＦＵＬＬ）に設定）して、冷却ユニット（冷却ファン）５を動作させる。
【００４６】
一方、ステップＳ２７の判定で、動作モード設定コマンドがコピーモードでもない場合（Ｓ２７-ＮＯ）、図３の処理ルーチンを抜け、処理を終了する。
【００４７】
本実施形態により、シーケンスコントロール回路６は、動作モード設定コマンドに基づき判定した動作設定の内容に応じて、冷却ユニット５の出力（冷却ファンの回転数）を切り替えて制御することが可能になる。
【００４８】
一般に、画像入出力装置１００において、スタンバイモード＜スキャニングモード＜プリントモード＜コピーモードの順で消費電力（言い換えれば発熱量）が大きくなるため、スタンバイモードの場合、シーケンスコントロール回路６は、冷却ユニット５の動作をＯＦＦとし、スキャニングモード、プリントモードの場合は、冷却ユニット（冷却ファン）５の出力を、例えば、第１の出力値として５０％に設定（冷却ファンの回転数を定格の１/２（＝５０％）に設定）して、コピーモードの場合は、冷却ユニット（冷却ファン）５の出力を、例えば、第１の出力値よりも出力を大きくする第２の出力値として１００％に設定（冷却ファンの回転数を定格の１００％（＝ＦＵＬＬ）に設定）して、各動作設定の内容に応じて冷却ユニット５の出力を制御することが可能になり、冷却ユニット５の過負荷を防止し、冷却ユニット５が消費する電力の軽減を図ることができる。
【００４９】
＜第３実施形態＞
第２実施形態では、スキャニングモード、プリントモード、コピーモードの各場合において、冷却ユニット（冷却ファン）５の動作レベルに重み付けをする（異なる出力を設定して制御する）冷却ユニットの制御について説明したが、本実施形態では、各動作モードの具体的な内容（図５で示した詳細情報）に応じて、冷却ユニット（冷却ファン）５の出力設定を更に細かく場合分けをして制御する内容について説明する。本実施形態では、動作モード設定コマンドにより設定される動作内容としてスキャニングモードを例として、ＡＤＦ（自動原稿送り装置）を使用して画像読取部２が画像を読取る場合と、ＡＤＦを使用しない場合で、冷却ユニット（冷却ファン）５の出力設定を切り替える例を説明する。
【００５０】
図４は、第３実施形態における冷却ユニットの制御の流れを説明するためのフローチャートである。第１及び第２実施形態における図２及び図３のフローチャートと同一のステップ番号は、同一の処理を行う処理ステップであり、説明の重複を避けるため説明を省略する。
【００５１】
ステップＳ１３において、シーケンスコントロール回路６が、動作モード設定コマンドに基づいてスキャニングモードの設定であると判定した場合（Ｓ１３-ＹＥＳ）、処理をステップＳ３０に進め、シーケンスコントロール回路６は、動作モード設定コマンドに含まれる詳細情報の内容（図５）を判定して画像読取部２が、画像の読み取りにおいてＡＤＦを使用するＡＤＦモードか否かを判定する（Ｓ３０）。
【００５２】
ステップＳ３０の判定により、ＡＤＦを使用して画像を読み取るＡＤＦモードを指定する詳細情報が動作モード設定コマンドに含まれている場合（Ｓ３０-ＹＥＳ）、処理をステップＳ２４に進め、シーケンスコントロール回路６は、冷却ユニット（冷却ファン）５の出力を第１の出力値として５０％に設定（冷却ファンの回転数を定格回転数の１/２（＝５０％）に設定）して、冷却ユニット（冷却ファン）５を動作させる。
【００５３】
一方、ステップＳ３０の判定において、ＡＤＦを使用しないで画像を読み取る場合（Ｓ３０-ＮＯ）、処理をステップＳ３１に進め、シーケンスコントロール回路６は、冷却ユニット（冷却ファン）５の出力を、第１の出力値（定格回転数の１/２（＝５０％））よりも低い第３の出力値として、冷却ファンの回転数を定格の１/３に設定して、冷却ユニット（冷却ファン）５を動作させる。この場合、ＡＤＦを使用しない分だけ消費電力が少なく、発熱量が小さいため、冷却ユニット（冷却ファン）５の出力は小さく設定される。
【００５４】
本実施形態により、シーケンスコントロール回路６は、動作内容を具体的に指定する詳細情報に基づいて、冷却ユニット５の出力（冷却ファンの回転数）を切り替えて制御することが可能になる。
【００５５】
各動作モードにおける具体的な詳細情報の内容を考慮して、冷却ユニット５の出力（冷却ファンの回転数）を切り替えることで、各動作モードに応じて冷却ユニット５を動作させることが可能になり、冷却ユニット５の過負荷を防止し、冷却ユニット５が消費する電力の軽減を図ることができる。
【００５６】
尚、本実施形態では、冷却ユニット５の出力（冷却ファンの回転数）を第３の出力値として冷却ファンの定格回転数の1/3、第１の出力値として冷却ファンの定格回転数の1/2、第２の出力値として冷却ファンの定格回転数（ＦＵＬＬ：第２及び第３実施形態のステップＳ２８）の３段階に分けて設定した例を示しているが、本発明の趣旨は、この設定例に限定されるものではなく、各出力値の設定は消費電力（発生する発熱量の大小）を考慮して種々設定することができるものとする。
【００５７】
また、動作モードにおける詳細情報の内容は、スキャニングモードの場合に限定されるものはなく、例えば、図５に示すように、プリントモード及びコピーモードにおいて、白黒の印刷を行う場合や、フルカラー印刷を行う場合、両面印刷を行う場合など、種々の画像形成モードに応じて、個別に設定することができるものとする。
【００５８】
コントローラ１は、冷却ユニット５の出力（冷却ファンの回転数）を、動作モード設定コマンドの内容及び各詳細情報の内容に応じた消費電力（発生する発熱量の大小）を考慮して設定することができるものとする。
【００５９】
この内容は、画像入出力装置１００内における不図示の記憶部において、データテーブルの形式で保持することが可能であり（図６）、シーケンスコントロール回路６は、冷却ユニット５の制御において、このデータテーブルを参照して、冷却ユニット５の出力（冷却ファンの回転数）を制御することができる。
【００６０】
また、データテーブルの形式で保持されている冷却ユニット５の出力（冷却ファンの回転数）の設定は、操作パネル４からの操作入力に応じて、ユーザが編集することも可能である。
【００６１】
＜第４実施形態＞
なお、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。プログラムコードの格納は、クライアントコンピュータに限定されるものではなく、例えば、サーバとして機能するコンピュータに記憶されておくことも可能である。
【００６２】
この場合、記憶媒体から読出されたプログラムコード自体が前述した実施形態の機能を実現することになり、そのプログラムコードを記憶した記憶媒体は本発明を構成することになる。
【００６３】
プログラムコードを供給するための記憶媒体としては、例えば、フレキシブルディスク，ハードディスク，光ディスク，光磁気ディスク，ＣＤ−ＲＯＭ，ＣＤ−Ｒ，ＤＶＤ、磁気テープ，不揮発性のメモリカード，ＲＯＭなどを用いることができる。
【００６４】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００６５】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００６６】
本実施形態により提供されるプログラム及びそのプログラムを格納するコンピュータ可読の記憶媒体により、画像入出力装置における冷却ユニットを制御して、画像読取部及び画像形成部の種々の動作に対応した効率のよい冷却を行うことが可能になる。
【図面の簡単な説明】
【００６７】
【図１】本発明の実施形態に係る画像入出力装置１００の概略的な構成を示すブロック図である。
【図２】第１実施形態における冷却ユニットの制御の流れを説明するためのフローチャートである。
【図３】第２実施形態における冷却ユニットの制御の流れを説明するためのフローチャートである。
【図４】第３実施形態における冷却ユニットの制御の流れを説明するためのフローチャートである。
【図５】動作モード設定コマンドにより設定される動作モードと、具体的な動作内容を指定する詳細情報の内容を例示する図である。
【図６】データテーブルの形式で記憶部に保持されている冷却ユニットの出力設定の例を示す図である。
【図１】
2006103160.tif 000003
【図２】
2006103160.tif 000004
【図３】
2006103160.tif 000005
【図４】
2006103160.tif 000006
【図５】
2006103160.tif 000007
【図６】
2006103160.tif 000008